(57)【要約】【課題】歯科治療における総義歯治療時に、義歯の最も安定する咬み合いの記録と完成義歯装着時の咬合調整が行える義歯製作時の咬合採得方法を提供する。【解決手段】下顎義歯側咬合床の中央付近に仮想設定する下顎の咬合面に対して角度のあるベクトル方向変更面を前記下顎の咬合面上に回転可能に構成し、このベクトル方向変更面に上顎義歯側咬合床の中央付近に仮想設定する上顎の咬合面と平行に構成する面を合着させ、かつこの状態で前記ベクトル方向変更面を左右に回すことにより前記上顎の咬合面上の面の前記下顎の咬合面に対する前後左右への傾き度合いを変えて義歯製作時の咬合採得を行うことを特徴とする義歯製作時の咬合採得方法。【選択図】        図１
2004201912.tif 000002
【特許請求の範囲】
【請求項１】
下顎義歯側咬合床の中央付近に仮想設定する下顎の咬合面に対して角度のあるベクトル方向変更面を前記下顎の咬合面上に回転可能に構成し、このベクトル方向変更面に上顎義歯側咬合床の中央付近に仮想設定する上顎の咬合面と平行に構成する面を合着させ、かつこの状態で前記ベクトル方向変更面を左右に回すことにより前記上顎の咬合面上の面の前記下顎の咬合面に対する前後左右への傾き度合いを変えて義歯製作時の咬合採得を行うことを特徴とする義歯製作時の咬合採得方法。
【請求項２】
ベクトル方向変更面の角度が、０度，１０度，２０度，３０度などの一つずつにより構成されることを特徴とする請求項１記載の義歯製作時の咬合採得方法。
【請求項３】
下顎義歯側咬合床に固定されてその中央付近に仮想上の下顎の咬合面と平行に構成する面を有する金属プレートと、この金属プレートの前記面に回転可能に磁力で固定されて前記面に対して角度のあるベクトル方向変更面を構成する磁石製ベクトル方向変更円板と、上顎義歯側咬合床に固定されてその中央付近に仮想上の上顎の咬合面と平行に構成する面を有する円板と、この円板の前記面に設けた芯軸部と、この芯軸部に嵌合されて前記円板に回転可能に装着される一方，前記ベクトル方向変更円板にその磁力で固定される回転円板とからなり、かつ完成義歯装着時に前記ベクトル方向変更円板を回転円板と共に左右に回すことにより前記円板の面の前記金属プレートの面に対する前後左右への傾き度合いを変えて義歯装着時の咬合調整を行うようにしたことを特徴とする義歯製作時の咬合調整器具。
【請求項４】
ベクトル方向変更円板を金属プレートの面に磁力で固定する際に、咬合高径調整円板を介在するようにしたことを特徴とする請求項３記載の義歯製作時の咬合調整器具。
【請求項５】
ベクトル方向変更円板のベクトル方向変更面の角度が、０度，１０度，２０度，３０度などの一つずつにより構成されることを特徴とする請求項３または４記載の義歯製作時の咬合調整器具。
【発明の詳細な説明】
【０００１】
【発明の属する技術分野】
この発明は、歯科治療における総義歯治療時に、義歯の最も安定する咬み合いの記録と完成義歯装着時の咬合調整が行える義歯製作時の咬合採得方法及び咬合調整器具に関するものである。
【０００２】
【発明が解決しようとする課題】
歯科治療の総義歯治療において機能する総義歯を完成させるには、上の義歯に対する下の義歯の位置関係が重要である。また、歯がない歯肉にとってどの歯肉の部分も咀嚼力（咬合力）に耐えうるわけではなく、耐圧性が低い歯肉の部分に強大な咀嚼力が義歯を介して伝達されると痛みを生ずる。すなわち義歯が完成（製作）しただけでは義歯による治療が終了するわけではなく、上下の義歯の位置関係，そして下の義歯が下顎と同時に運動するときにそれぞれの義歯が動かないことが重要で、義歯を介して歯肉に伝達される咀嚼力の方向を規定し、また義歯完成後もあらゆる下顎の義歯の動きをもってしても義歯の歯肉に対するベクトルが変化しないことが重要である。従って、ベクトルを規定するための技術と、完成した義歯をその製作ステップ上で生じた誤差を義歯装着時に修正して装着する技術が重要である。
【０００３】
歯を失った後、歯肉の下の顎の骨は吸収し、上顎骨が前後的には前上がりに吸収し，下顎骨は前後的に凹状に吸収することが多い。そのために義歯での咀嚼時には、上顎義歯は前に滑ろうとするし，下顎義歯はそれにかかる力のベクトルによって揺りかごのように動くようになる。
【０００４】
咬むという機能がゆえ、上下それぞれの義歯が動かないようなベクトルもあるであろうが、そうすると丁度咬合面でベクトルが合成され、また義歯をあらぬ方向に動かしてしまう。この義歯の動きが、一つは歯肉とずれるために義歯を歯肉に吸着せしめている分子間引力が働かなくなって義歯が外れ易くなるし，また歯肉の凹凸に合わせて義歯を精密成形しているために、このずれることにより凸が当たり、痛みの原因にもなる。
【０００５】
即ち、義歯が歯肉に均一に当たるベクトルと咬み合った時の集合ベクトルとが一致しかつ下顎の前後左右のあらゆる運動の際もそのベクトルが変化しないことにより、外れず，痛みのない義歯の咬合わせを構成（調整）できるようになる。
【０００６】
このことは即ち、上下の義歯が前後左右どのように運動しても、上下義歯間における上下方向のベクトルが一致している最善の咬合状態（義歯装着）をいう。
【０００７】
このように上下義歯間における上下方向のベクトルが一致して合成ベクトルが得られその方向に義歯が咀嚼力で圧接されても痛みなく機能するためには、咬合面の設定が重要である。このとき義歯を上下顎の間に適切に入れるためには、その咬合面はある程度術者の自由に設定できるはずであるが、教科書的には鼻翼と耳珠を結んだ面に平行に設定するということになっている。しかし、この標準の咬合面設定時に咀嚼力により合成されるベクトルがそれぞれの義歯にとって最も耐圧性に有利な歯肉に力がかかり、また最も義歯をずらすことのないベクトルとは限らない。であるから、予め上下ともさまざまなベクトルで加圧し、上下ともに満足できるベクトルを規定した後、このベクトルを上下の義歯の接触でもってして再現させることにより、機能的な義歯が完成する。よって、実際にはどの力のベクトルの向きが最善であるかをいろいろ試しながら探ってゆき、上下方向のベクトルを一致させている。
【０００８】
ところが、従来の義歯製作時咬合採得装置では、咬合面上に取付けてこれを補助的に使用するものであるので、前記したようにベクトルの向きを変更することができず、そのために装置の取付けをし直すことで対処し、装置の取付け，取外しを繰り返さねばならず大変な手間を要していたし、その上上下方向のベクトルを一致させて合成ベクトルを得るのは難しく，数回の付け直しでも最善の咬合採得が望めないという問題点がある。
【０００９】
【課題を解決するための手段】
請求項１の発明に係る義歯製作時の咬合採得方法はかかる問題点を解消するためになされたもので、ベクトル方向変更面を左右に回して上顎の咬合面上の面の下顎の咬合面に対する前後左右への傾き度合いを変えて咬合いの記録が行えるので、従来装置のように装置の取付け，取外しを繰り返さなくてもよいし、その上義歯完成後の咬合わせの調整においても上下義歯間における上下方向のベクトルを一致させた合成ベクトルを変化させることなく調整できることにより外れず，痛みのない最善の義歯装着が可能になる。
【００１０】
また、請求項３の発明に係る義歯完成時の咬合調整器具は、これを上下の義歯にそれぞれ取付けて上下顎の間に入れたままそのベクトル方向変更円板を回転円板と共に左右に回すことにより、円板の面の金属プレートの面に対する前後左右への傾き度合いが変わって上下義歯間における上下方向のベクトルが一致して合成ベクトルが得られるので、一回の取付けでベクトル方向変更円板を回すという簡単な操作で外れず，痛みのない最善の義歯装着が行える。
【００１１】
【発明の実施の形態】
この発明の一実施の形態を図１〜図６について説明する。
まず、この発明の義歯製作時の咬合採得方法を説明するに際し、それに用いる義歯製作時の咬合調整器具の構成を説明する。
【００１２】
図１は咬合採得時の下顎義歯を上からみた図、図２は図１の線イ−イに沿う断面図である。図１，図２において、１は下顎義歯、２は下顎義歯１の咬合床３に固定した金属プレートで、仮想上の下顎の咬合面と平行に構成する面２ａを有している。４は金属プレート２の面２ａに回転可能に磁力で固定したネオジウム磁石などの磁石製ベクトル方向変更円板、５はベクトル方向変更円板４のベクトル方向変更面４ａにその磁力で吸着される回転円板、６は回転円板５の中心穴、７はベクトル方向変更円板４が金属プレート２に吸着するときにその間に介在させた咬合高径調整円板である。
【００１３】
なお、金属プレート２は磁石のつくステンレスからなりかつ咬合床３の咬み合わせのロウの部分に火炎で熱して固定してある。ベクトル方向変更円板４としてそのベクトル方向変更面４ａの角度が金属プレート２の面２ａに対して０度，１０度，２０度，３０度と異なるものを数種類準備してある。回転円板５はプラスチックからなりかつベクトル方向変更面４ａに接する片面に磁石のつくステンレス板を有している。咬合高径調整円板７は磁石のつくステンレス製の円盤からなりかつこれは義歯製作時の上顎との距離調整用に介在させるものであるので、挿入しない場合もある。
【００１４】
図３は咬合採得時の上顎義歯を下からみた図、図４は図３の線ロ−ロに沿う断面図である。図３，図４において、８は上顎義歯、９は上顎義歯８の咬合床１０に固定した円板で、仮想上の上顎の咬合面と平行に構成する面９ａを有している。１１は円板９の面９ａの中心に突設した芯軸部（ピン）、１２は芯軸部１１の突起の高さを調整するための穴、１３は円板９をモデリングコンパウンドで固定（熱融着）するための穴である。
【００１５】
なお、円板９は磁石のつかないステンレスからなりかつ咬合床１０にモデリングコンパウンドで穴１３を介して固定（熱融着）してある。円板９の面９ａは、その芯軸部１１が回転円板５の中心穴６に嵌合することにより、ベクトル方向変更円板４のベクトル方向変更面４ａに対して平行状態を維持している。なお、芯軸部１１の突起の高さは、穴１２にピンセットなどを入れて芯軸部１１を回すことにより調整できる。
【００１６】
図５は義歯製作時の咬合調整器具のみを示す正面図、図６は図５を右からみた側面図であり、各図中前記した図１〜図４に示すものと同一または相当部分には同一符号を付して説明を省略する。
【００１７】
次に、以上説明した図１〜図６の咬合調整器具を用いて、本発明の義歯製作時の咬合採得方法及び咬合調整器具の作用を説明する。
【００１８】
前準備として、下顎義歯１の咬合床３に金属プレート２を固定した後、金属プレート２にベクトル方向変更円板４を用いて回転円板５及び咬合高径調整円板７を取付けておく。また、上顎咬合床１０に円板９を固定しておく。
【００１９】
こうしてなる下顎咬合床３を下顎に，上顎咬合床１０を上顎に嵌めて、芯軸部１１を中心穴６に嵌合して咬合調整器具を図５，図６に示すように合体する。この状態では、すでに通法通りに行われている仮合わせにより、下顎義歯１の咬合床３と上顎義歯８の咬合床１０との前後左右の位置関係はおおまかに決まっている。このとき、ベクトル方向変更円板４には、ベクトル方向変更面４ａの角度が０度のものから始まり、その角度の異なる１０度，２０度，３０度のものを、その誤差ができるだけ小さくなるように選定（決定）して装着しておく。
【００２０】
このように仮合わせ時に、ベクトル方向変更円板４のベクトル方向変更面４ａを選定（角度の）するということについて、もう少し詳しく説明する。
上下顎の状態（形状）をみて、各咬合床３，１０の動きが小さい（歪みの小さい）と思われる場合には、角度０度のベクトル方向変更面４ａをもつベクトル方向変更円板４を使用する。そうすると、咬合状態では金属プレート２の面２ａに対して円板９の面９ａが前後左右の位置で上下にずれが少なく平行に近い状態となるので、合成ベクトルの得られる状態と誤差の少ない仮合わせができる。つまり、上下の歯肉の面に対して垂直に近い状態での咬合採得ができる。
また、上下顎の状態（形状）をみて、各咬合床３，１０の動きが大きい（歪みの大きい）と思われる場合には、その大きさに応じて角度を選びその角度をもつベクトル方向変更円板４を使用する。そうすると、咬合状態では金属プレート２の面２ａに対して円板９の面９ａが前後左右の位置で上下にその角度分だけ傾斜して平行に近い状態となるので、合成ベクトルの得られる状態と誤差の少ない仮合わせができる。つまり、前記と同様に上下の歯肉の面に対して垂直に近い状態での咬合採得ができる。
【００２１】
即ち、上下顎の形状変化により金属プレート２の面２ａに対する円板９の面９ａの角度に個人差があるので、これに合わせてベクトル方向変更面４ａの角度を選びベクトル方向変更円板４を選択しながらその誤差ができるだけ小さくなるようにしておく。
【００２２】
なお、その際、不要ならば咬合高径調整円板７を取り除いて咬合高さ具合をも見極め、調整しておく。また、必要ならば、ベクトル方向変更円板４の固定位置を金属プレート２の長手方向（左右方向）にずらせて変更して上下義歯１，８間の仮合わせ精度を上げることもできる。
【００２３】
次に、咬合試行をしながら、ベクトル方向変更円板４を左右に回すと、芯軸部１１を中心にしてベクトル方向変更円板４と共に回転円板５及び咬合高径調整円板７が一体となって回動するので、例えば図５においてベクトル方向変更円板４を左に回すとベクトル方向変更面４ａは二点鎖線Ｘで示すように右側が低くなるように右下がりの斜面になるし、逆にベクトル方向変更円板４を右に回すとベクトル方向変更面４ａは二点鎖線Ｙで示すように左側が低くなるように左下がりの斜面になるので、これに伴って円板９の面９ａも各二点鎖線Ｘ，Ｙに沿うように変化し、上下義歯１，８間における上下方向のベクトルの方向と向きが変化する。
【００２４】
こうして、ベクトル方向変更円板４を左右に回すことにより円板９の面９ａを金属プレート２の面２ａに対して左右前後の位置で上下にずらせて咬合調整を行うと、上下義歯１，８間における上下方向のベクトルが一致する合成ベクトルを探し当てることができ、最善の義歯装着ができるようになる。
【００２５】
【発明の効果】
以上のように、請求項１の発明によればベクトル方向変更面を左右に回して上顎の咬合面上の面の下顎の咬合面に対する前後左右への傾き度合いを変えて咬み合いの記録が行えるので、従来装置のように装置の取付け，取外しを繰り返さなくてもよいし、その上義歯完成後の咬合わせの調整においても上下義歯間における上下方向のベクトルを一致させて合成ベクトルが得られることにより外れず，痛みのない最善の義歯装着が可能になるという効果が得られる。
【００２６】
また、請求項３の発明によればこれを上下顎義歯側の咬合床にそれぞれ取付けて上下顎の間に入れたままそのベクトル方向変更円板を回転円板と共に左右に回すことにより、円板の面の金属プレートの面に対する前後左右への傾き度合いが変わって上下義歯間における上下方向のベクトルが一致して合成ベクトルが得られるので、一回の取付けでベクトル方向変更円板を回すという簡単な操作で外れず，痛みのない最善の義歯装着が行えるという効果が得られる。
【図面の簡単な説明】
【図１】この発明の一実施の形態を示すもので咬合採得時の下顎義歯を上からみた図である。
【図２】図１の線イ−イに沿う断面図である。
【図３】図１と同じく咬合採得時の上顎義歯を下からみた図である。
【図４】図３の線ロ−ロに沿う断面図である。
【図５】図１〜図４における義歯製作時の咬合調整器具のみを示す正面図である。
【図６】図５を右からみた側面図である。
【符号の説明】
１    下顎義歯
２    金属プレート
２ａ  金属プレートの面
３    下顎の咬合床
４    ベクトル方向変更円板
４ａ  ベクトル方向変更面
５    回転円板
６    中心穴
７    咬合高径調整円板
８    上顎義歯
９    円板
９ａ  円板の面
１０  上顎の咬合床
１１  芯軸部
１２  穴
１３  穴
【図１】
2004201912.tif 000003
【図２】
2004201912.tif 000004
【図３】
2004201912.tif 000005
【図４】
2004201912.tif 000006
【図５】
2004201912.tif 000007
【図６】
2004201912.tif 000008